(57)【要約】      （修正有）【課題】タッチポイントの精度を高める相互キャパシタンス式タッチパネルを提供する。【解決手段】基板１０と、該基板１０の底面に設置される下感知ユニット２０と、基板１０の上面に設置される上感知ユニットとを有し、その内、下感知ユニット２０は、それぞれ同じの軸方向に沿って、互いに平行するように排列される複数の下導電層２１を備え、また、各下導電層２１は、一列に接続される複数の下検知地域２１１を備え、上感知ユニットには、それぞれ同じの他の軸方向に沿って、互いに平行するように排列される複数の上導電層を備え、また、該各上導電層は、一列に接続される複数の上検知地域を備え、かつ、前記複数の上検知地域は、それぞれ前記複数の下検知地域２１１と対応すると共に、前記上検知地域と下検知地域２１１とは、９５％以上の面積を重ねるものである。【選択図】図３
0003169572.tif 000002
【実用新案登録請求の範囲】
【請求項１】
基板１０と、該基板１０の底面に設置される下感知ユニット２０と、該基板１０の上面に設置される上感知ユニット４０とを有し、
前記下感知ユニット２０は、それぞれ同じの軸方向に沿って、互いに平行するように排列される複数の下導電層２１を備え、また、該各下導電層２１は、一列に接続される複数の下検知地域２１１を備え、
前記上感知ユニット４０は、それぞれ同じの他の軸方向に沿って、互いに平行するように排列される複数の上導電層４１を備え、また、該各上導電層４１は、一列に接続される複数の上検知地域４１１を備え、
かつ、前記複数の上検知地域４１１は、それぞれ前記複数の下検知地域２１１と対応すると共に、前記上検知地域４１１と下検知地域２１１とは、９５％以上の面積を重ねることを特徴とする相互キャパシタンス式タッチパネル。
【請求項２】
前記上検知地域４１１と下検知地域２１１とは、完全的に重ねることを特徴とする請求項１に記載の相互キャパシタンス式タッチパネル。
【請求項３】
前記上導電層４１の軸方向は、前記下導電層２１の軸方向と垂直することを特徴とする請求項１又は２に記載の相互キャパシタンス式タッチパネル。
【請求項４】
前記上検知地域４１１及び下検知地域２１１は、矩形を呈することを特徴とする請求項１又は２に記載の相互キャパシタンス式タッチパネル。
【請求項５】
前記上検知地域４１１及び下検知地域２１１は、矩形を呈することを特徴とする請求項３に記載の相互キャパシタンス式タッチパネル。
【請求項６】
下基板１１と、該下基板１１の上面に設置される下感知ユニット２０と、該下基板１１の上面に設置されるプラスチック絶縁層１３と、該プラスチック絶縁層１３の上面に設置される上基板１２と、該上基板１２の底面に設置される上感知ユニット４０とを有し、
前記下感知ユニット２０は、それぞれ同じの軸方向に沿って、互いに平行するように排列される複数の下導電層２１を備え、また、該各下導電層２１は、一列に接続される複数の下検知地域２１１を備え、
前記上感知ユニット４０は、それぞれ同じの他の軸方向に沿って、互いに平行するように排列される複数の上導電層４１を備え、また、該各上導電層４１は、一列に接続される複数の上検知地域４１１を備え、
かつ、前記複数の上検知地域４１１は、それぞれ前記複数の下検知地域２１１と対応すると共に、前記上検知地域４１１と下検知地域２１１とは、９５％以上の面積を重ねることを特徴とする相互キャパシタンス式タッチパネル。
【請求項７】
前記上検知地域４１１と下検知地域２１１とは、完全的に重ねることを特徴とする請求項６に記載の相互キャパシタンス式タッチパネル。
【請求項８】
前記上導電層４１の軸方向は、前記下導電層２１の軸方向と垂直することを特徴とする請求項６又は７に記載の相互キャパシタンス式タッチパネル。
【請求項９】
前記上検知地域４１１及び下検知地域２１１は、矩形を呈することを特徴とする請求項６又は７に記載の相互キャパシタンス式タッチパネル。
【請求項１０】
前記上検知地域４１１及び下検知地域２１１は、矩形を呈することを特徴とする請求項８に記載の相互キャパシタンス式タッチパネル。
【考案の詳細な説明】
【技術分野】
【０００１】
本考案は、タッチパネルについて、特に投影型の相互キャパシタンス式タッチパネルに関するものである。
【背景技術】
【０００２】
既有のタッチパネルは、技術原理による沢山の種類を有し、その内、投影型キャパシタンス式タッチパネルは、多点検知の機能を備えるものであり、アップル会社の例えば：ｉＰｈｏｎｅなどの多点検知商品が発売された後、市場に、それらの商品を注目されることになった。
【０００３】
投影型キャパシタンス式タッチパネルには、セルフキャパシタンスと相互キャパシタンスとを有し、その内、該セルフキャパシタンス式のタッチパネルは、一般的に、単層の導電電極を備えるものであり、該相互キャパシタンス式のタッチパネルには、図５及び図６に示すように、上層電極６１及び下層電極７１を有し、該上層電極６１は、上基板６０の底面に設けられ、複数の上検知地域６１１が備えるものであり、該下層電極７１には、下基板７０の上面に設けられ、複数の下検知地域７１１が備えるものであり、また、該上検知地域６１１と下検知地域７１１ととの間に間隔をおいて互いに割れるために、該上層電極６１と下層電極７１との間にプラスチック絶縁層８０が設置される。そこで、上検知地域６１１と下検知地域７１１との間に、静電容量を生じて検知点を検出することができる。
【考案の概要】
【考案が解決しようとする課題】
【０００４】
しかしながら、既有の技術における相互キャパシタンス式タッチパネルは、上検知地域６１１と下検知地域７１１との形状が異なると共に、面積とも同一じゃないことから、上検知地域６１１と下検知地域７１１とは、ただ部分的に重ねる構成である。このような上検知地域６１１と下検知地域７１１との仕組み方には、触った時に検知したポイントと、使用者が本当に触ったポイントとが違うポイントとする問題を生じて、タッチパネルのタッチポイントの精度が低くなるという欠点があった。
【課題を解決するための手段】
【０００５】
本考案に係る相互キャパシタンス式タッチパネルは、基板１０と、該基板１０の底面に設置される下感知ユニット２０と、該基板１０の上面に設置される上感知ユニット４０とを有し、その内、該下感知ユニット２０は、それぞれ同じの軸方向に沿って、互いに平行するように排列される複数の下導電層２１を備え、また、該各下導電層２１は、一列に接続される複数の下検知地域２１１を備え、該上感知ユニット４０には、それぞれ同じの他の軸方向に沿って、互いに平行するように排列される複数の上導電層４１を備え、また、該各上導電層４１は、一列に接続される複数の上検知地域４１１を備え、かつ、前記複数の上検知地域４１１は、それぞれ前記複数の下検知地域２１１と対応すると共に、前記上検知地域４１１と下検知地域２１１とは、９５％以上の面積を重ねるものである。
【０００６】
本考案に係る相互キャパシタンス式タッチパネルは、下基板１１と、該下基板１１の上面に設置される下感知ユニット２０と、該下基板１１の上面に設置されるプラスチック絶縁層１３と、該プラスチック絶縁層１３の上面に設置される上基板１２と、該上基板１２の底面に設置される上感知ユニット４０とを有し、その内、該下感知ユニット２０は、それぞれ同じの軸方向に沿って、互いに平行するように排列される複数の下導電層２１を備え、また、該各下導電層２１は、一列に接続される複数の下検知地域２１１を備え、該上感知ユニット４０は、それぞれ同じの他の軸方向に沿って、互いに平行するように排列される複数の上導電層４１を備え、また、該各上導電層４１は、一列に接続される複数の上検知地域４１１を備え、かつ、前記複数の上検知地域４１１は、それぞれ前記複数の下検知地域２１１と対応すると共に、前記上検知地域４１１と下検知地域２１１とは、９５％以上の面積を重ねてものである。
【０００７】
前記上検知地域４１１と下検知地域２１１とは、完全的に重ねてもよい。
【０００８】
前記上導電層４１の軸方向は、前記下導電層２１の軸方向と垂直することが好ましい。
【０００９】
前記上検知地域４１１及び下検知地域２１１は、矩形を呈してもよい。
【考案の効果】
【００１０】
本考案に係る相互キャパシタンス式タッチパネルは、上記の課題を解決するものであり、タッチポイントの精度が高める、優れたタッチパネルに関する製品を提供する。
【図面の簡単な説明】
【００１１】
【図１】本考案に係る第一実施例の基板の上面状態しか示さない平面図である。
【図２】本考案に係る第一実施例の基板の底面状態しか示さない平面図である。
【図３】本考案に係る第一実施例の基板の上面図である。
【図４】本考案に係る第二実施例の分解斜面図である。
【図５】既有の技術において、相互キャパシタンス式タッチパネルの分解斜面図である。
【図６】既有の技術において、相互キャパシタンス式タッチパネルの部分拡大上面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図２に示すように、本考案に係る相互キャパシタンス式タッチパネルの第一実施例は、基板１０と、下感知ユニット２０と、複数の下導線３０と、上感知ユニット４０と、複数の上導線５０とを有するものである。
【００１４】
前記基板１０は、底面１０１と、上面１０２とを備え、該底面１０１に、前記下感知ユニット２０及び下導線３０が設置され、該上面１０２に、前記上感知ユニット４０及び上導線５０が設置される。
【００１５】
また、該下感知ユニット２０は、それぞれ同じの軸方向に沿って、互いに平行するように排列される複数の下導電層２１を備えるものであり、また、該各下導電層２１は、一列に接続される複数の下検知地域２１１を備えるものである。本実施例における下検知地域２１１は、矩形を呈するものである。
【００１６】
前記複数の下導線３０は、上述した下導電層２１の数量と対応し、また、該各下導線３０の一端は、対応した下導電層２１の一端に位置した下検知地域２１１に連接される。
【００１７】
前記上感知ユニット４０は、それぞれ同じの他の軸方向に沿って、互いに平行するように排列される複数の上導電層４１を備えるものである。本実施例において、その上導電層４１の軸方向は、下導電層２１の軸方向と垂直する。該各上導電層４１には、一列に接続される複数の上検知地域４１１を備えるものである。該複数の上検知地域４１１は、それぞれ前記複数の下検知地域２１１と対応する、さらに、該上検知地域４１１と下検知地域２１１とは、９５％以上の面積を重ねる。
【００１８】
図３に示すように、本実施例において、前記上検知地域４１１は、形状又はサイズが前記下検知地域２１１と同一であり、また、上検知地域４１１と下検知地域２１１とは、互いにすべて重ねるという構造である。
【００１９】
前記複数の上導線５０は、上述した上導電層４１の数量と対応し、また、該各上導線５０の一端は、対応した上導電層４１の一端に位置した上検知地域４１１に連接される。上述したような下導電層２１及び上導電層４１には、酸化インジウムスズ（ＩＴＯ）からなるものであり、また、その下導電層２１及び上導電層４１の構成手段は、例えば、基板１０における上面１０２及び底面１０１に、全面的に酸化インジウムスズが設置され、その後、エッチング・プロセスを行い、各導電層と各検知地域との間に間隔をエッチングしてできるものである。
【００２０】
図４に示すように、本考案に係る相互キャパシタンス式タッチパネルの第二実施例は、第一実施例と異なるところは、さらに、下基板１１と、プラスチック絶縁層１３と、上基板１２とを有し、その内、該下基板１１は、上面に前記第一実施例に述べた下感知ユニット２０を設置し、該上基板１２には、底面に前記第一実施例に述べた上感知ユニット４０を設置し、該プラスチック絶縁層１３には、該下基板１１の上面と上基板１２の下面との間に設置されるものである。
【００２１】
上述したような本考案に係る相互キャパシタンス式タッチパネルは、既有の相互キャパシタンス式タッチパネルに比べると、本考案における上検知地域４１１と下検知地域２１１とは、９５％以上の面積が互いに重ねるということがあるから、使用した時の検知したポイントと実際に触ったポイントとの偏差を、小さいな範囲までにコントロールすることができる。
【００２２】
さらに、例えば、上検知地域４１１と下検知地域２１１とは、完全的に重ねていた場合には、使用した時の検知したポイントと実際に触ったポイントとの偏差を有しない。そこで、本考案に係る相互キャパシタンス式タッチパネルは、タッチポイントの精度を高めることができる。
【産業上の利用可能性】
【００２３】
本考案は上記の構成を有することから、タッチポイントの精度が高めると共に、優れたタッチパネル商品を提供することができる。
【符号の説明】
【００２４】
１０  基板
１０１ 底面
１０２ 上面
１１  下基板
１２  上基板
１３  プラスチック絶縁層
２０  下感知ユニット
２１  下導電層
２１１ 下検知地域
３０  下導線
４０  上感知ユニット
４１  上導電層
４１１ 上検知地域
５０  上導線
６０  上基板
６１  上層電極
６１１ 上検知地域
７０  下基板
７１  下層電極
７１１ 下検知地域
８０  プラスチック絶縁層
【図１】
0003169572.tif 000003
【図２】
0003169572.tif 000004
【図３】
0003169572.tif 000005
【図４】
0003169572.tif 000006
【図５】
0003169572.tif 000007
【図６】
0003169572.tif 000008